(57)【要約】【課題】  傷口を湿潤環境に保つ湿潤療法に好適に用いることができ、しかも、より使用品質の高い治療用樹脂シートを提供する。【解決手段】  治療用樹脂シート１０は、少なくとも一方の表面１３ａが鏡面とされ１０μｍ以上１ｍｍ以下の厚さｔを有する樹脂シート１３と、この樹脂シート１３に設けられた複数の貫通孔１５とを備える。この治療用樹脂シート１０によれば、鏡面とされた一方の表面１３ａで傷口１１を覆うことより、一方の表面１３ａと肌１２とが良好に密着する。【選択図】  図１
2015131004.tif 000002
【特許請求の範囲】
【請求項１】
傷口を湿潤環境に保つ治療用樹脂シートであって、
少なくとも一方の表面が鏡面とされ１０μｍ以上１ｍｍ以下の厚さを有する樹脂シートと、
前記樹脂シートに設けられた複数の貫通孔と、を備えることを特徴とする治療用樹脂シート。
【請求項２】
前記貫通孔の直径が０．５ｍｍ以上５ｍｍ以下であることを特徴とする請求項１に記載の治療用樹脂シート。
【請求項３】
前記貫通孔が、前記樹脂シートの単位面積当たりに設けられる前記貫通孔の総面積を前記単位面積で割って求められる開口率が０．５％以上５０％以下となるように形成されていることを特徴とする請求項１又は２に記載の治療用樹脂シート。
【請求項４】
前記樹脂シートが、シリコーンゴムからなることを特徴とする請求項１ないし３のいずれか１項に記載の治療用樹脂シート。
【請求項５】
前記樹脂シートが３０以上９８以下のショアＡ硬度（ＪＩＳ  Ｋ７３１１）を有することを特徴とする請求項１ないし４のいずれか１項に記載の治療用樹脂シート。
【請求項６】
前記樹脂シートが傷口に触れる面とは反対側の面に、傷口から出てくる体液を吸収する吸収シートを有することを特徴とする請求項１ないし５のいずれか１項に記載の治療用樹脂シート。
【発明の詳細な説明】
【技術分野】
【０００１】
本発明は、治療用樹脂シートに関する。
【背景技術】
【０００２】
傷口の治療法として、傷口を乾燥させずに湿潤環境下で傷口を治す方法（以下、「湿潤療法」と称する）が知られている（例えば、非特許文献１参照）。
【０００３】
非特許文献１には、一般に市販されている食品包装用のラップフィルムで傷口を覆い、傷口を湿潤環境に保つことが記載される。しかし、食品包装用のラップフィルムは、安価に入手できる反面、プラスチック製であるため肌に密着しにくく、肌の動きに追従しにくい。また、ラップフィルムで単に傷口を覆うと、傷口から出てくる体液がラップフィルムの下に溜まってしまう。このため、体液を透過させる孔をラップフィルムに治療の度に開ける必要がある。
【０００４】
一方、この湿潤療法に用いる専用の被覆用品も提案されている（例えば、特許文献１参照）。
【０００５】
特許文献１には、排液孔付きフイルムを備えるドレッシングフイルムが開示される。このドレッシングフイルムでは、排液孔付きフイルムに吸収体を重ね、創傷の浸出液をフイルムの排液孔を経て吸収体に吸収させ、浸出液を排出しつつ創傷を湿潤環境に保つ。
【０００６】
ところで、湿潤療法が普及する中、より使用品質の高い被覆用品が要望されている。具体的には、肌に対する密着性がより高く、しかも、より良好に体液が排出される技術が要望されている。しかし、フイルムに排液孔を単に設けた特許文献１の技術では、密着性の向上や排液性の向上に限界がある。
【先行技術文献】
【非特許文献】
【０００７】
【非特許文献１】［ｏｎｌｉｎｅ］、インターネット＜ＵＲＬ：http://www.koseikan.jp/visit/medical_column/list/detail/column_739.html＞
【特許文献】
【０００８】
【特許文献１】登録実用３１４２６６０号公報
【発明の概要】
【発明が解決しようとする課題】
【０００９】
そこで、本発明は、上記のような事情に鑑みなされたものであり、湿潤療法に好適に用いることができ、しかも、より使用品質の高い治療用樹脂シートを提供することにある。
【課題を解決するための手段】
【００１０】
本発明は、以下の構成によって把握される。
（１）本発明は、傷口を湿潤環境に保つ治療用樹脂シートであって、少なくとも一方の表面が鏡面とされ１０μｍ以上１ｍｍ以下の厚さを有する樹脂シートと、樹脂シートに設けられた複数の貫通孔と、を備えることを特徴とする。
【００１１】
（２）本発明は、上記（１）の構成において、貫通孔の直径が０．５ｍｍ以上５ｍｍ以下であることを特徴とする。
【００１２】
（３）本発明は、上記（１）又は（２）の構成において、貫通孔が、樹脂シートの単位面積当たりに設けられる貫通孔の総面積を単位面積で割って求められる開口率が０．５％以上５０％以下となるように形成されていることを特徴とする。
【００１３】
（４）本発明は、上記（１）ないし（３）のいずれかの構成において、樹脂シートが、シリコーンゴムからなることを特徴とする。
【００１４】
（５）本発明は、上記（１）ないし（４）のいずれかの構成において、樹脂シートが３０以上９８以下のショアＡ硬度（ＪＩＳ  Ｋ７３１１）を有することを特徴とする。
【００１５】
（６）本発明は、上記（１）ないし（５）のいずれかの構成において、樹脂シートが傷口に触れる面と反対側の面に、傷口から出てくる体液を吸収する吸収シートを有することを特徴とする。
【発明の効果】
【００１６】
本発明によれば、湿潤療法に好適に用いることができ、しかも、より使用品質の高い治療用樹脂シートを提供することができる。
【図面の簡単な説明】
【００１７】
【図１】本発明に係る実施形態の治療用樹脂シートの斜視図である。
【図２】治療用樹脂シートの他の実施例を示す分解斜視図である。
【図３】図２のＡ矢視図であり、樹脂シートの平面図である。
【図４】図２のＢ矢視図であり、樹脂シートの平面図である。
【図５】（ａ）は図１のＣ−Ｃ線断面図、（ｂ）は（ａ）のＤ部拡大図である。
【発明を実施するための形態】
【００１８】
以下、添付図面を参照して、本発明を実施するための形態（以下、「実施形態」と称する）について詳細に説明する。実施形態の説明の全体を通して同じ要素には同じ番号を付している。
【００１９】
（治療用樹脂シート１０の構成）
まず、治療用樹脂シート１０の構成を図１及び図２に基づいて説明する。
図１に示すように、実施形態の治療用樹脂シート１０は、傷口１１を覆うように肌１２に貼付され、傷口１１を含む患部を湿潤環境に保つ樹脂シート１３と、この樹脂シート１３に設けられた複数の貫通孔１５とを備える。なお、治療用樹脂シート１０は、褥瘡（一般に床ずれと称される）など、湿潤療法で治療可能な各種の傷口に適用可能である。
【００２０】
また、図２に示すように、治療用樹脂シート１０は、樹脂シート１３の表面のうち、傷口１１（図１参照）に触れる面（一方の表面１３ａ）側に、使用前に剥離される保護シート１６を備えるものでもよい。さらに、治療用樹脂シート１０は、樹脂シート１３の表面のうち、傷口１１（図１参照）に触れる面と反対側の面（他方の表面１３ｂ）に、傷口１１から出てくる体液を吸収する吸収シート１７（例えば、ガーゼなど）を備えるものでもよい。
【００２１】
（樹脂シート１３の構成）
次に、樹脂シート１３の構成を図３及び図４に基づいて説明する。
図３に示すように、樹脂シート１３は、この例では、略長方形状に形成される。樹脂シート１３の構成材料としては、柔軟性、粘着性、透明性、耐水性などに優れるシリコーンゴムが好適である。
【００２２】
なお、樹脂シート１３の形状は、この例に格別に限られるものではなく、略長方形状の他、略正方形状や略円形状など各種の形状から選択可能である。また、樹脂シート１３は、ロール状に巻き取られた長尺のシートでもよく、その場合、傷口１１（図１参照）の大きさや傷口１１の位置（体の部位）などに合わせて、樹脂シート１３を適宜切断して用いることができる。
【００２３】
樹脂シート１３の少なくとも一方の表面１３ａは、鏡面とされる。
鏡面とは、ＪＩＳ Ｂ０６０１-２００１に準拠して測定する表面粗さの値が、算術平均粗さＲａで０．１μｍ以下、最大高さ粗さＲｚで１．０μｍ以下の面状態である。
本発明の樹脂シートは、従来公知のカレンダー成形、押出成形などの各種成形方法や、流延法、バーコート法、コンマコート法、ブレードコータ法などの各種コーティング方法により、金属製または樹脂製の薄板状基板へ塗布することにより得られる。また、樹脂製の長尺フィルム上へ連続して塗布し、巻取ることにより長尺の樹脂シートを得ることもできる。
より具体的には、樹脂シートの表面を鏡面にする場合、算術平均粗さＲａで０．１μｍ以下、最大高さ粗さＲｚで１．０μｍ以下の面状態を有するＰＥＴフィルムやＯＰＰフィルム上に樹脂組成物をシート状に塗布し、その表面を転写させればよい。樹脂シートの表面をマット面とする場合、所望の粗さにマット加工したＰＥＴフィルムやＯＰＰフィルム上に樹脂組成物をシート状に塗布し、その表面を転写させればよい。
【００２４】
図４に示すように、樹脂シート１３の他方の表面１３ｂは、鏡面又は鏡面以外の面のいずれでも差し支えない。ここでは、他方の表面１３ｂを面の粗さが大きいマット面とした例を示す。この場合、鏡面とされた一方の表面１３ａと、マット面とされた他方の表面１３ｂとが密着しにくくなる。このため、樹脂シート１３を貼付する際、一方の表面１３ａと他方の表面１３ｂとが密着してしまうことを防ぐことができ、樹脂シート１３の貼付が容易になるという効果が得られる。
【００２５】
樹脂シート１３の厚さｔ（図１参照）は、１０μｍ以上１ｍｍ以下の範囲から設定することが好適である。また、高い透明性が樹脂シート１３に要求される場合、厚さｔ（図１参照）は、できるだけ薄く設定することが好適である。
【００２６】
樹脂シート１３の硬度は、肌１２（図１参照）に対する樹脂シート１３の密着性、追従性を考慮すると、３０以上９８以下の範囲、望ましくは、３０以上８０以下の範囲から設定することが好適である。ここで、「硬度」は、ＪＩＳ  Ｋ７３１１に準拠して測定されるショアＡ硬度である。この樹脂シート１３の硬度は、樹脂シート１３が使用される傷口１１の位置（体の部位）などに応じて設定することができる。
【００２７】
（貫通孔１５の構成）
次に、貫通孔１５の構成を図５に基づいて説明する。
図５（ａ）及び（ｂ）に示すように、貫通孔１５は、樹脂シート１３を厚さ方向に貫通する孔であり、傷口１１からの体液を一方の表面１３ａ側から他方の表面１３ｂ側に透過させる（矢印（１））。この例では、複数の貫通孔１５を樹脂シート１３の全体に亘ってピッチＰで格子点状に配列した構成を示すが、複数の貫通孔１５の配列は、樹脂シート１３に要求される仕様に応じて任意に変更可能である。
【００２８】
貫通孔１５の直径ｄは、排液性や、樹脂シート１３の実使用上の引裂強度を考慮すると、０．５ｍｍ以上５ｍｍ以下の範囲から設定することが好適である。
【００２９】
また、貫通孔１５の開口率についても、排液性や、樹脂シート１３の実使用上の引裂強度を考慮すると、０．５％以上５０％以下の範囲から設定することが好適である。ここで、「開口率」は、樹脂シート１３の単位面積当たりに設けられる貫通孔１５の総面積を単位面積で割って求められる割合（＝（単位面積当たりの貫通孔１５の総面積／単位面積）×１００）である。
【００３０】
（複数の貫通孔１５の実施例）
複数の貫通孔１５の実施例１〜３を表１に示す。実施例１〜３は、１００ｍｍ四方の樹脂シート１３に複数の貫通孔１５を設けたものであり、表１では、実施例１〜３それぞれの貫通孔１５の直径ｄ、１個の貫通孔１５の開口面積、ピッチＰ、貫通孔１５の数、開口総面積及び開口率を示している。
【００３１】
【表１】
2015131004.tif 000003
【００３２】
表１に示すように、実施例１では、１００ｍｍ四方の樹脂シート１３において、直径１ｍｍの貫通孔１５をピッチ１０ｍｍで１００個配置する。この場合、開口総面積が７８．５ｍｍ２となり、開口率が０．８％の樹脂シート１３が得られる。
【００３３】
実施例２では、１００ｍｍ四方の樹脂シート１３において、直径２ｍｍの貫通孔１５をピッチ２０ｍｍで３０個配置する。この場合、実施例１に比べて貫通孔１５の１個当たりの開口面積が大きくなるが、貫通孔１５の個数を少なくすることで、実施例１と同程度の開口率（０．９％）の樹脂シート１３が得られる。
【００３４】
実施例３では、１００ｍｍ四方の樹脂シート１３において、直径２ｍｍの貫通孔１５をピッチ１０ｍｍで１００個配置する。この場合、実施例１，２よりも大きな開口率（３．１％）の樹脂シート１３が得られる。
【００３５】
上記実施例１〜３から分かるように、開口率は、貫通孔１５の直径ｄ、ピッチＰ、個数を適宜設定することにより、樹脂シート１３に要求される排液性や引裂強度に応じて任意に調整することができる。
【００３６】
（実施形態の効果）
以上、説明した治療用樹脂シート１０の効果について述べる。
治療用樹脂シート１０によれば、鏡面とされた一方の表面１３ａで傷口１１を覆うことより、一方の表面１３ａと肌１２とが良好に密着する。
【００３７】
また、一方の表面１３ａの肌１２への密着性が高まることから、傷口１１から出てくる体液が樹脂シート１３の周縁から外に染み出たり、樹脂シート１３が肌１２から浮いて樹脂シート１３の下に体液が溜まり易くなったりすることを防止できる。その結果、貫通孔１５を介して体液をより良好に排出することができる。加えて、傷口１１に触れる一方の表面１３ａを鏡面とすることで、樹脂シート１３の透明性が高まるため、傷口１１の状態が見易くなる効果も得られる。
【００３８】
さらに、樹脂シート１３をシリコーンゴムで構成することにより、肌１２への密着性及び追従性において、より優れた治療用樹脂シート１０を提供することができる。
【００３９】
加えて、傷口１１に触れる面（一方の表面１３ａ）とは反対側の面（他方の表面１３ｂ）に吸収シート１７を設けることによって、傷口１１からの体液が複数の貫通孔１５を介して吸収シート１７に吸収される。これにより、より衛生的な治療用樹脂シート１０を提供することができる。
【００４０】
したがって、本実施形態によれば、傷口１１を湿潤環境に保つ湿潤療法に好適に用いることができ、しかも、使用品質及び衛生性に優れる治療用樹脂シート１０を提供することができる。
【００４１】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４２】
１０    治療用樹脂シート
１１    傷口
１２    肌
１３    樹脂シート
１３ａ  一方の表面（傷口に触れる面）
１３ｂ  他方の表面（傷口に触れる面とは反対側の面）
１５    貫通孔
１７    吸収シート
ｔ      厚さ
ｄ      直径
【図１】
2015131004.tif 000004
【図２】
2015131004.tif 000005
【図３】
2015131004.tif 000006
【図４】
2015131004.tif 000007
【図５】
2015131004.tif 000008